(57)【特許請求の範囲】
【請求項１】
電気コネクタと、可撓性シートと、取付システムと、を具備した電気接続システムであって、
前記電気コネクタ（２）は多角形断面を有する後部を備えた金属シールド（７）を具備し、
前記可撓性シート（１３）は、前記金属シールドの後部を取り囲んだ可撓性の導電性前部セクションを備え、
前記取付システム（４）は、前記可撓性シートの前部セクションを取り囲み、相互接続されて前記多角形断面に対応した剛体アーム（１６ａ，１６ｂ）と、所定の方向に沿って互いに対して隣接した前記剛体アームをガイドするように形成された調節機構（２５，２６）と、を備えていることを特徴とする電気接続システム。
【請求項２】
前記取付システムは連続的に調節可能なリンク（３１）をさらに具備し、該リンクは前記剛体アームを取り囲み、前記剛体アーム（１６ａ，１６ｂ）が前記金属シールドの後部の周りに密接に適合する調節位置においてロック可能であることを特徴とする請求項１に記載の電気接続システム。
【請求項３】
電気コネクタと、可撓性シートと、取付システムと、を具備した電気接続システムであって、
前記電気コネクタ（２）は多角形断面を有する後部を備えた金属シールド（７）を具備し、
前記可撓性シート（１３）は、前記金属シールドの後部を取り囲んだ可撓性の導電性前部セクションを備え、
前記取付システム（４）は、前記可撓性シートの前部セクションを取り囲み、相互接続されて前記多角形断面に対応した剛体アーム（１６ａ，１６ｂ）と、所定の方向に沿って互いに対して隣接した前記剛体アームをガイドするように形成された調節機構（２５，２６）と、前記剛体アームを取り囲み且つ前記剛体アーム（１６ａ，１６ｂ）が前記金属シールドの後部の周りに密接に適合する調節位置においてロック可能である連続的に調節可能なリンク（３１）と、を備えていることを特徴とする電気接続システム。
【請求項４】
第１アーム（１６ａ）は、第２アーム（１６ｂ）の関連した第２端部（１７ｂ）と取り外し可能に接続することが可能な第１端部（１７ａ）を備えていることを特徴とする請求項１〜３のいずれか一項に記載の電気接続システム。
【請求項５】
第１アーム（１６ａ）は、第２アーム（１６ｂ）の関連した第２端部（１７ｂ）と回転可能に接続することが可能な第１端部（１７ａ）を備えていることを特徴とする請求項１〜４のいずれか一項に記載の電気接続システム。
【請求項６】
第１アーム（１６ａ）は、予備調節状態において第２アーム（１６ｂ）の関連した第２端部（１７ｂ）と接続可能に維持された第１端部（１７ａ）を備えていることを特徴とする請求項１〜５のいずれか一項に記載の電気接続システム。
【請求項７】
電気コネクタと、可撓性シートと、取付システムと、を具備した電気接続システムであって、
前記電気コネクタ（２）は多角形断面を有する後部を備えた金属シールド（７）を具備し、
前記可撓性シート（１３）は、前記金属シールドの後部を取り囲んだ可撓性の導電性前部セクションを備え、
前記取付システム（４）は、前記可撓性シートの前部セクションを取り囲み、相互接続されて前記多角形断面に対応した剛体アーム（１６ａ，１６ｂ）を備え、第１アーム（１６ａ）は、第２アーム（１６ｂ）の関連した第２端部（１７ｂ）と取り外し可能且つ回転可能に接続することが可能な第１端部（１７ａ）を備え、前記第１アーム（１６ａ）は予備調節状態において関連した第２アーム（１６ｂ）と接続可能に維持されており、
前記調節システムは、前記予備調節状態から調節状態へと、前記アームの回転の径方向に沿って互いに対して隣接した前記剛体アームをガイドするように形成された調節機構（２５，２６）をさらに具備し、
前記取付システムは、前記剛体アームを取り囲み、且つ前記剛体アーム（１６ａ，１６ｂ）が調節状態において前記金属シールドの後部の周りに密接に適合する調節位置においてロック可能である、連続的に調節可能なリンク（３１）をさらに具備していることを特徴とする電気接続システム。
【請求項８】
第１アーム（１６ａ）はペグ（２５）を備えた第１端部（１７ａ）を備え、該第１アーム（１６ａ）に隣接した第２アーム（１６ｂ）は前記第１アーム（１６ａ）の第１端部（１７ａ）と関連した第２端部（１７ｂ）を備え、前記第２アームの第２端部は前記ペグ（２５）を受容し且つ接線方向に延びたガイド溝（２６）を備えていることを特徴とする請求項１〜７のいずれか一項に記載の電気接続システム。
【請求項９】
すべてのアーム（１６ａ，１６ｂ）が同一であることを特徴とする請求項１〜８のいずれか一項に記載の電気接続システム。
【請求項１０】
前記アームは多角形断面の角部において相互接続されていることを特徴とする請求項１〜９のいずれか一項に記載の電気接続システム。
【請求項１１】
前記可撓性シート（１３）は導電性ワイヤから編まれたブレイドであることを特徴とする請求項１〜１０のいずれか一項に記載の電気接続システム。
【請求項１２】
前記電気コネクタは、嵌合する電気コネクタの電気端子に電気的に接続される電気端子（１０ａ，１０ｂ）を受容するためのリセプタクル（６ａ，６ｂ）を形成したハウジングを具備し、前記金属シールド（７）は前記リセプタクルを取り囲んでいることを特徴とする請求項１〜１１のいずれか一項に記載の電気接続システム。
【請求項１３】
請求項１〜１２のいずれか一項に記載の電気接続システムのためのアセンブリであって、前記電気コネクタ（２）と前記取付システム（４）とを具備していることを特徴とする電気接続システムのためのアセンブリ。
【請求項１４】
電気接続システムを製造する方法であって、
多角形断面を有する後部を備えた金属シールド（７）を備えた電気コネクタ（２）を提供するステップと、
可撓性の導電性前部セクションを備えた可撓性シート（１３）とともに前記金属シールドの後部を取り囲むステップと、
剛体アーム（１６ａ，１６ｂ）を備えた取付システム（４）とともに前記可撓性シートの前部セクションを取り囲むステップであって、前記剛体アームは多角形断面に対応するように相互接続されるステップと、
前記シート（１３）を前記取付システムの調節機構（２５，２６）とともに前記シールド（７）に適応させるステップであって、前記取付システムは所定の方向に沿って互いに対して隣接した剛体アーム（１６ａ，１６ｂ）をガイドするように形成されている、前記シートを前記シールドに適応させるステップと、を含んでいることを特徴とする方法。
【発明の詳細な説明】
【技術分野】
【０００１】
本発明は前記接続システム、およびそれらの製造方法に関する。
【背景技術】
【０００２】
電気コネクタは、通常は電気端子を受容するための複数のリセプタクルを形成した電気絶縁ハウジングを具備している。これらの電気端子は、通常は個々の電気ワイヤの前端部として形成されている。これらのリセプタクルを取り囲む電気シールドを設け、周囲の環境からの電磁的干渉（ＥＭＩ）から端子に流れる電流を保護することが一般的である。
【０００３】
電気ワイヤの前端部を取り囲み、柔軟に設けられた導電性シートを備えたケーブルも設けられる。
【発明の概要】
【発明が解決しようとする課題】
【０００４】
電磁的干渉からの保護を進展させるために、コネクタの金属シールドとシートとの間の連続的な電気的接続を確実にすることが重要である。このことは、特にシールドが多角形断面を備えている場合に非常に問題がある。
【０００５】
本発明はとりわけそれらの欠点を軽減することを目的としている。
【課題を解決するための手段】
【０００６】
この目的のために、電気接続システムが提供される。システムは電気コネクタと、可撓性シートと、取付システムと、を具備している。
【０００７】
電気コネクタは、多角形断面を有する後部を備えた金属シールドを具備している。
【０００８】
可撓性シートは、金属シールドの後部を取り囲んだ可撓性の導電性前部セクションを備えている。
【０００９】
取付システムは可撓性シートの前部セクションを取り囲んでいる。取付システムは、相互接続されて多角形断面に対応する剛体アームと、径方向自由度に沿って互いに対して隣接した剛体アームをガイドする調節機構と、を備えている。
【００１０】
これらの特徴とともに、調節機構は、剛体アームがシールドの多角形断面に密接に適合してそれらの間の可撓性シートを締め付けるまで、剛体アームが径方向に移動することを可能にしている。このことはシートをシールドに密接に適合させることを可能にしている。
【００１１】
いくつかの実施形態において、従属請求項に規定された特徴の１つまたは１つ以上が使用されてもよい。
【００１２】
本発明の他の特徴および利点は、非限定的な実施例として提供された実施形態の１つの以下の記載および添付図から容易に明確になるだろう。
【図面の簡単な説明】
【００１３】
【図１】本発明の実施形態の分解斜視図を示している。
【図２】図１のケーブルのために使用された導電性シートの斜視図を示している。
【図３ａ】剛体アームの下側からの斜視図を示している。
【図３ｂ】剛体アームの上側からの斜視図を示している。
【図４ａ】電気接続システムの組み立てを示した図である。
【図４ｂ】電気接続システムの組み立てを示した図である。
【図４ｃ】電気接続システムの組み立てを示した図である。
【発明を実施するための形態】
【００１４】
異なった図において、同様の参照符号は同様のまたは類似の要素を指定している。
【００１５】
図１は、電気コネクタ２、ケーブル３、および取付システム４を具備した電気接続システム１を示している。
【００１６】
電気コネクタ２は、電気的絶縁材材料から形成され且つ複数の電気接続の経路を形成したハウジング５を具備している。本実施形態においては、電気コネクタは２つの経路６ａ、６ｂを具備している。経路６ａ、６ｂは、第１端部２ａおよびその反対側の第２端部２ｂ（図１においては見えていない）において開放されており、第１端部２ａにおいて電気ケーブル３を受容し、第２端部２ｂにおいて電気コネクタ２（同様に図示略）と嵌合するようにデザインされた相補的コネクタからの電気端子を受容する。単に図示された実施形態においては、経路は直角である。ケーブル３は軸に沿って電気コネクタ２の内部に受容されており、この軸は軸Ｘであり、２つの経路は方向Ｙに沿って互いに隣接して配置されている。方向Ｚは第３方向であり、ここでは相補的なコネクタと嵌合する方向に対応している。少なくとも第１端部２ａにおいて、ハウジングは多角形断面（ここでは長方形断面）を備えている。
【００１７】
ハウジング５は金属シールド７によって取り囲まれており、金属シールド７は例えばハウジング５の周りに形成された薄い金属シートとして設けられている。これは特に電気コネクタ２の第１端部２ａにおける場合であり、そこではこのシールドも多角形（長方形）断面を有している。同一のプロファイルがリセプタクル全体に沿って設けられ得る。金属シールドは電気コネクタの第２端部２ｂからアクセス可能であり、相補的なコネクタ（図示略）の相補的なシールドと接触するようになっていてもよい。特に、金属シールド７はすべての経路を取り囲んでおり、経路と外界との間の電磁的干渉を減少している。
【００１８】
本実施形態において示されたように、電気コネクタ２は、金属シールド７を取り囲み且つ１つ以上の特定の機能を提供し得るカバー８を具備してもよい。しかしながら、この段階においては、本発明に関してそれが本質的であるとは考えられない。
【００１９】
ケーブル３は複数の電気ワイヤ９ａ、９ｂを具備し、各ワイヤはハウジング２の所定のリセプタクル６ａ、６ｂに対応している。電気ワイヤは方向Ｘに沿って実用的に伸びており、個々の電気端子１０ａ、１０ｂを具備した第１端部を備えている。これらの導電端子は（例えば圧着によって）電気ワイヤの電気コアに接続されており、このコアは絶縁シース１１ａ、１１ｂによって個々に取り囲まれている。各ワイヤは、シースとコアとの間においてコアから絶縁された個別のシールドも具備してもよい。シール１２ａ、１２ｂは個々のシースの前端を取り囲むように設けられ、経路６ａ、６ｂが電気端子の内部への導入後に後方からシールされてもよい。可撓性シート１３はケーブル３の前端を取り囲んでいる。特に、シートはケーブル３の前端、すべての電気端子、およびそれらの個々のシールを取り囲んでいる。シートは開放された前端１４ａから、例えばグランドに接続された後端（図示略）へと伸びている。シートは個々のワイヤ９ａ、９ｂのシールドに接続されることによってグランドに接続されてもよい。シート１３は導電性であり、例えば導電ワイヤから編まれたブレイド（braid）である。例えば、シート１３の第２端部は、それ自身既知の態様において個々の各ワイヤ９ａ、９ｂの（ワイヤの外部シースとコアとの間に絶縁的に含まれた）内部シールドに電気的に接続されている。シート１３の前部１５は、電気コネクタ２の第１端部において金属シールド７の周りに配置されるようなサイズとされている。
【００２０】
取付システム４は可撓性シート１３の前部１５を取り囲むように、且つこの前部を金属シールド７の後端と電気的に密接に接触させるように設けられており、その状態は図３ａおよび図４ｃを参照して以下に詳細に記載されている。
【００２１】
特に、取付システム４は２つの同一の剛体アーム１６ａ、１６ｂを具備している。アーム１６ａは図３ａおよび図３ｂに関連して以下に記載されている。この記載は同一のアーム１６ｂにも当てはまる。アーム１６ａは直角に曲げられており、金属シールド７の多角形断面の半分に沿って実用的に伸びた断面を有する。アームはＹＺ平面に関して対称である。アーム１６ａは第１端部１７ａおよび第２端部１７ｂを備えている。第１端部１７ａと第２端部１７ｂとは異なっており、互いに対応した形状とされ、第１アーム１６ａの第１端部１７ａは第２アーム１６ｂの第２端部１７ｂに対応している。端部１７ａおよび１７ｂはシールド７の長方形断面の２つの角部に設けられ、特に本実施形態の場合、この長方形の対角に沿った２つの互いに反対側の角部に設けられている。したがって、アーム１６ａは、第１端部１７ａから中間頂点１９まで伸びた第１アーム部１８ａと、中間頂点から第２端部１７ｂまで伸びた第２アーム部１８ｂと、を備えている。頂点１９は金属シールドの角部に対応しており、それはアーム１６ａの端部１７ａおよび１７ｂに対応した２つの角部の中間である。
【００２２】
アーム１６ａの内面２０は、一端１７ａから他端１７ｂまで金属シールドの側部に沿って伸びた溝２１を具備していてもよい。外面２２は２つのうろこ状のガイドシステムを具備していてもよい。外側ガイドシステムは、アームの一端１７ａから他端１７ｂまで伸びたリブ２３と、同様に２つの端部１７ａおよび１７ｂの間に伸びた内側リブ２４と、を具備し、内側リブ２４は２つのリブ２３の間に位置し、外面２２に関して外側リブ２３よりも低く突出している。例えば、頂点１９においては内側リブが設けられていない。
【００２３】
第１端部１７ａにはペグ２５が設けられ、第２端部１７ｂにはペグ２５と相補的且つ開放端２７およびその反対側の閉鎖端２８を備えた溝２６が設けられている。本実施形態においては、対称性によって、実質的に２つのペグとそれらに相補的な２つの溝とを備え、図示されたペグは図示されていない溝と関連しており、図示された溝２６は図示されていないペグと関連している。溝２６は接線方向に沿って向けられており、ここでは第１端部１７ａおよび第２端部１７ｂに結合する長方形の別の対角線に平行な方向である。ペグと溝とは個々のヘッド３０に設けられており、ヘッドは個々の担持アーム部１８ａおよび１８ｂに関してＹＺ平面の外側に曲げられるように弾性的に可撓性である。
【００２４】
電気接続システムの組み立ては、図４ａ、図４ｂ、および図４ｃに関連してここに記載される。第１ステップとして、ケーブル３がハウジング５に組み付けられる。特に、各ワイヤ９ａ、９ｂがコネクタハウジングの個々の経路６ａ、６ｂ内に挿入され、個々の電気端子１０ａ、１０ｂがハウジング内部に全体的に配置される。シール１２ａ、１２ｂは各経路を密接にシールし、後部からの異物の侵入に対抗している。同時に、可撓性シート１３は電気コネクタの第１端部２ａを緩く取り囲むように、特にシールド７の後部を取り囲み且つ緩く接触するように、その前部１５が取り付けられる。
【００２５】
第２ステージにおいて、別々に設けられた取付システムの第１アーム１６ａおよび第２アーム１６ｂは、第２アーム１６ｂの第１端部に設けられたペグを第１アーム１６ａの第２端部のスロット内に挿入することによって、互いに組み立てられる。スロットの開放端２７はこの挿入のために使用される。したがって、第１アーム１６ａおよび第２アーム１６ｂは互いに取り外し可能に接続されることが可能であり、このステージにおいて、第１アーム１６ａおよび第２アーム１６ｂは、上述のペグによって形成された軸Ｘ１に関する回転によって、互いに回転可能に接続されることが可能でもある。このペグは開放端２７の反対側の溝２６の閉鎖端２８において受容される。この位置は２つのアームの予備調節状態に相当している。
【００２６】
例えば２つの互いに反対側の接続されていない２つの端部の間に設けられた開口部２９まで、軸Ｘ１の周りに互いにアームが回転することによって、２つのアームはシート１３の前部１５周りに配置される。開口部はシールド７の後部とシート１３の前部とがその内部に挿入される程度に十分に大きい。
【００２７】
１つのアームは正確な位置に設けられている。例えば、第２アーム１６ｂはシート１３の隣接部に密接に接触しており、したがってシート１３は金属シールド７との密接な接触を維持している。第１アーム１６ａは第２アーム１６ｂに対して軸Ｘ１の周りに回転され、第１アームの第１端部１７ａを反対側の角部の第２アームの第２端部１７ｂに互いに組み立てる。図４ｃに見られているように、第２アーム１６ｂの第１端部のペグ１５は、第２アーム１６ｂの第２端部の溝２６内に設けられている。ペグ２５はヘッド３０に担持されており、ヘッド３０は図３ｂの矢印Ａによって示されたように、Ｚ方向に平行な曲げ軸に関して第１部分１８ａに対して弾性的に柔軟に形成されている。
【００２８】
上述したような２つのアームの組み立ての際に、ヘッド３０は、ペグ２５が閉鎖端２８側から溝２６に到達するまで内側に弾性的にそらされ、これによってヘッド３０が静止位置に向かって弾性的にスプリングバックすることを可能にしている。しかしながら、ヘッド３０はこのステージにおいてわずかにそらされたままとされ、摩擦によって互いに２つのアームの保持力を得るようにされてもよい。
【００２９】
このステージにおいて、剛体アームは相互接続されて、金属シールドの後部の多角形断面に対応しているが、しかしながらそれらの間には可撓性シート１３の前部１５を収容するためにある程度のあそびがある。このあそびは、対角線上の反対側の２つの角部における個々のスロット２６内においてペグ１５のスライドを可能にすることによって設けられている。したがって、２つのアーム１６ａ、１６ｂは、２つの平行な接線方向に沿って溝２６内においてペグ１５がスライドすることによって、いわゆる径方向自由度に沿って互いに対してスライドするように設けられている。
【００３０】
互いに対する２つのアームの移動は、スライドの方向に依存して、相互接続されたアームによって形成された多角形断面の外周を拡張または減少させる。
【００３１】
次いで、図１に戻ると、タイラップのような連続的に調節可能なリンク３１が設けられて、相互接続されたアームを取り囲んでいる。端縁において鋭く曲げるために、リンクは非常に柔軟である。リンクは２つの外側リブ２３によって最初はガイドされており、次いで、締め付けられると、アームの内側リブ２４によってガイドされる。その締め付けは径方向自由度に沿った２つのアームの互いに対する相対移動に起因しており、その相対移動はアームが金属シールドに対してそれらの間においてシートの前部と密接に適合するまで生じる。したがって、シートとシールドとの間の優れた電気的接続が提供される。この接続は密接であり均一である。
【００３２】
多様な実施形態において、シールド断面は異なった数の側部、例えば３つの側部または４つ以上の側部を備えた多角形とすることが可能である。そのような場合、アームはそれに応じて適合される。いずれの場合においても、互いに同一の２つのアームを使用して、シールドの断面を取り囲むことは役立つ。さらに、２つ以上のアームが設けられ得る。アームは図示されたように各々が断面の２つの側部、または１つの側部と２つの側部とのような異なった数の側部をカバーしてもよい（この変形は４つの側部の実施形態にも適用される）。
【符号の説明】
【００３３】
１  ・・・電気コネクタシステム
２  ・・・電気コネクタ
３  ・・・ケーブル
４  ・・・取付システム
５  ・・・ハウジング
６ａ，６ｂ  ・・・リセプタクル
７  ・・・金属シールド
８  ・・・カバー
９ａ，９ｂ  ・・・電気ワイヤ
１０ａ，１０ｂ  ・・・電気端子
１１ａ，１１ｂ  ・・・絶縁シース
１２ａ，１２ｂ  ・・・シール
１３  ・・・可撓性シート
１６ａ，１６ｂ  ・・・剛体アーム
１９  ・・・中間頂点
２１  ・・・内面
２３  ・・・外側リブ
２４  ・・・内側リブ
２５  ・・・ペグ
２６  ・・・溝
２７  ・・・開放端
２８  ・・・閉鎖端
３０  ・・・ヘッド
３１  ・・・リンク
【図１】
0005968433.tif 000002
【図２】
0005968433.tif 000003
【図３ａ】
0005968433.tif 000004
【図３ｂ】
0005968433.tif 000005
【図４ａ】
0005968433.tif 000006
【図４ｂ】
0005968433.tif 000007
【図４ｃ】
0005968433.tif 000008